(57)【要約】【課題】シリンダブロックへの負荷を抑制しつつウォータジャケットスペーサを所期の安定した状態に固定保持できるウォータジャケットスペーサ及び該ウォータジャケットスペーサを備えたシリンダブロックを提供する。【解決手段】シリンダブロック１のウォータジャケット１０内に装着されてウォータジャケット１０内の冷却水流量を調整するウォータジャケットスペーサ２０の見かけ上の比重を上記冷却水の比重と略等しく設定する。見かけ上の比重が冷却水の比重と略等しいウォータジャケット２０をシリンダボア壁５の外周に形成されるウォータジャケット１０内に装着してウォータジャケット１０の内周面１３と外周面１４により比較的小さな加圧力で挟持することでウォータジャケットスペーサ２０が安定した状態で保持でき、シリンダブロック１への負荷が抑制できる。【選択図】図２
2012012969.tif 000002
【特許請求の範囲】
【請求項１】
シリンダブロックのウォータジャケット内に装着されて、ウォータジャケット内の冷却水流量を調整するウォータジャケットスペーサであって、
上記冷却水の比重と略等しい見かけ上の比重を有する樹脂製ブロック状で、シリンダブロックに固定保持されることを特徴とするウォータジャケットスペーサ。
【請求項２】
中空構造であることを特徴とする請求項１に記載のウォータジャケットスペーサ。
【請求項３】
独立気泡発泡樹脂製であることを特徴とする請求項１に記載のウォータジャケットスペーサ。
【請求項４】
上記請求項１〜３のいずれか１項に記載のウォータジャケットスペーサが、シリンダボア壁の外周に形成されるウォータジャケット内に装着されて該ウォータジャケットの内周面と外周面との間に挟持して固定されたことを特徴とするシリンダブロック。
【請求項５】
上記請求項１〜３のいずれか１項に記載のウォータジャケットスペーサが、シリンダボア壁の外周に形成されるウォータジャケット内に装着されて該ウォータジャケットの内周面或いは外周面に固定構造により固定されたことを特徴とするシリンダブロック。
【発明の詳細な説明】
【技術分野】
【０００１】
本発明は、エンジンのシリンダブロックに形成されたウォータジャケットに装着されてウォータジャケット内の冷却水流量を調整するウォータジャケットスペーサ及び該ウォータジャケットスペーサを備えたシリンダブロックに関する。
【背景技術】
【０００２】
エンジン、特に水冷式エンジンのシリンダブロックに形成されるウォータジャケットによる冷却構造は、シリンダブロックにおけるシリンダボア壁の周囲にトップデッキ側が開放されたループ状のウォータジャケットを形成し、シリンダヘッドを締結してトップデッキ側が閉塞されたウォータジャケット内に冷却水を流通及び循環させてシリンダブロックの冷却を行うように構成される。
【０００３】
一般にシリンダブロックは、アルミニウム合金等の鋳造によって製造されるが、その鋳造に使用される鋳型のウォータジャケットに対応する部分の金型強度を確保するには、当該部分の肉厚等が必要になり、実際にエンジンが要するウォータジャケットより鋳造されたウォータジャケットが大きくなることがある。その結果、ウォータジャケットの冷却水容量が、そのエンジンに最適な冷却水の量より過大になることがある。
【０００４】
また、シリンダボア壁温は燃焼室付近の上死点側が高く、クランク室に近い下死点側が低くなる傾向があり、シリンダボア壁温が部位において不均一になることが懸念される。一方、エンジンの効率的かつ円滑な作動にはシリンダボア壁温の平滑化、即ち略均一になることが好ましく、そのために、ウォータジャケットの冷却水流量及び流速等を調整することが望まれる。
【０００５】
この対策として、特許文献１にはウォータジャケット内に、ウォータジャケットスペーサとなる充填部材を設置してウォータジャケット内を流れる冷却水量を適正化するシリンダブロックが開示されている。これは、図４にシリンダブロック１０１の断面図を示すように、シリンダボア壁１０２の外周に設けたウォータジャケット１０３の低温部分となる下死点側に含水性のある合成樹脂製のスポンジ材料やウール状の素材からなる充填部材１０４を設置する。そしてウォータポンプが作動してもウォータジャケット１０３内の充填部材１０４を設置した部分には冷却水が流れないようにして、シリンダボア壁１０２の高温部となる上死点付近だけに冷却水を流して冷却させることにより、シリンダボア壁温を均一化すものである。
【０００６】
特許文献２には、ウォータジャケットスペーサの組み付け後において、エンジンの振動やウォータジャケット内を流れる冷却水の水流圧力によりウォータジャケットスペーサが揺動し、或いは移動することが懸念されることから、ウォータジャケットスペーサを所期の状態に固定保持する種々の構造が開示されている。
【０００７】
その一例として、ウォータジャケットの断面幅よりも厚く形成されたウォータジャケットスペーサを、ウォータジャケットの下死点側となる先端側内に圧入して固定保持する構造がある。また、図５（ａ）に示すように、ウォータジャケットスペーサ１１０に支柱１１０ａを設け、シリンダブロック１０１に取り付けられるシリンダヘッド１０５によって支柱１１０ａを押さえてウォータジャケットスペーサ１１０をウォータジャケット１０３内の所定位置に固定保持する構造がある。また、同図（ｂ）のようにシリンダブロック１０１の側面からピン１０６を差して、そのピン１０６によってウォータジャケットスペーサ１１０をウォータジャケット１０３の所定位置に固定保持する構造や、同図（ｃ）のようにシリンダブロック１０１に係止穴１０７を形成し、ウォータジャケットスペーサ１１０を係止穴１０７に係止してウォータジャケットスペーサ１１０をウォータジャケット１０３内の所定位置に固定保持する構造がある。
【先行技術文献】
【特許文献】
【０００８】
【特許文献１】特開平８−２９６４９５号公報
【特許文献２】特開２００２−３０９８９号公報
【発明の概要】
【発明が解決しようとする課題】
【０００９】
上記特許文献１によると、ウォータジャケット１０３内に含水性のあるスポンジ材料やウール状の素材からなる充填部材１０４を設置することで、ウォータジャケット１０３内を流れる冷却水量を適正化すると共にシリンダボア壁温の均一化を図ることができる。
【００１０】
しかし、充填部材１０４が含水性のあるスポンジ材料やウール状の素材からなることから、充填部材１０４内に侵入した冷却水が滞留して充填部材１０４の劣化が促進されて耐久性が低下することが懸念される。また、車載されたエンジンにあっては、車両に発生する加速度及びエンジンの振動、ウォータジャケット１０３内を流れる冷却水の圧力等で充填部材１０４が揺動や移動することが懸念される。充填部材１０４の振動や移動を防止すべく充填部材１０４の固定を強固にするために充填部材１０４をウォータジャケット１０３の先端側内に大きな荷重で圧入すると、シリンダボア壁１０２への負荷が増大してシリンダボア壁１０２の変形に影響を及ぼし、かつシリンダボア壁１０２の破損を招く要因となる。また、シリンダブロック自体の変形を誘発する。
【００１１】
また、特許文献２に開示されるように、ウォータジャケットスペーサの振動や移動を防止すべくウォータジャケットスペーサの固定を強固にするためにウォータジャケットスペーサをウォータジャケットに圧入固定すると、ウォータジャケットスペーサを固定するシリンダボア壁の負荷が増大すると共にシリンダボア壁の変形に影響を及ぼし、かつシリンダボア壁の破損を招く要因となる。また、シリンダブロック自体の変形を誘発する。
【００１２】
更に、ウォータジャケットスペーサ１１０に支柱１１０ａを設けシリンダヘッド１０５により支柱１１０ａを押さえてウォータジャケットスペーサ１１０をウォータジャケット１０３内の所定位置に保持する構造においては、ウォータジャケットスペーサ１１０の構造が複雑になると共に、ウォータジャケットスペーサ１１０の振動や移動を防止すべくウォータジャケットスペーサ１１０の固定を強固するためにウォータジャケットスペーサ１１０をウォータジャケット１０３の先端側に大きな荷重で押圧すると、ウォータジャケットスペーサ１１０の押圧によりウォータジャケット１０３を介してシリンダボア壁１０２の変形に影響を及ぼすことが懸念される。ピン１０６によってウォータジャケットスペーサ１１０をウォータジャケット１０３内の所定位置に保持する固定構造や、シリンダブロック１０１の係止穴１０７にウォータジャケットスペーサ１１０を係止してウォータジャケットスペーサ１１０をウォータジャケット１０３内の所定位置に保持する固定構造にあっては、ウォータジャケットスペーサ１１０の形状が複雑になると共にピン１０６の設置や係止孔１０７により固定構造が複雑になると共にシリンダ壁１０２の変形に影響を及ぼす。更に、ウォータジャケットスペーサ１１０の振動や移動を防止すべくウォータジャケットスペーサ１１０を強固にすると共にピン１０６を保持するシリンダブロック１０１のピン保持部や係止孔１０７等の固定構造の破損を防止するため強固な固定構造が要求される。この固定構造を強固にする伴いシリンダブロック自体の変形に影響を与え、かつウォータジャケットスペーサの設置によるコストが増大する要因となる。
【００１３】
従って、係る点に鑑みなされた本発明の目的は、シリンダブロックへの負荷を抑制しつつウォータジャケットスペーサを所期の安定した状態に固定保持できるウォータジャケットスペーサ及び該ウォータジャケットスペーサを備えたシリンダブロックを提供することにある。
【課題を解決するための手段】
【００１４】
上記目的を達成する請求項１に記載のウォータジャケットスペーサの発明は、シリンダブロックのウォータジャケット内に装着されて、ウォータジャケット内の冷却水流量を調整するウォータジャケットスペーサであって、上記冷却水の比重と略等しい見かけ上の比重を有する樹脂製ブロック状で、シリンダブロックに固定保持されることを特徴とする。
【００１５】
これによると、ウォータジャケット内に固定保持されるウォータジャケットスペーサの見かけ上の比重を冷却水の比重と略等しくする樹脂製ブロック状に形成することで、冷却水によるウォータジャケットスペーサの揺動や移動が抑制され、ウォータジャケットスペーサを安定した状態に固定保持するためのシリンダブロックへの負荷が抑制できる。
【００１６】
請求項２の発明は、請求項１のウォータジャケットスペーサにおいて、中空構造であることを特徴とする。
【００１７】
これによると、ウォータジャケットスペーサを中空構造とすることで、中空部により、ウォータジャケットスペーサの見かけ上の比重を冷却水の比重と略等しくなるように調整することができる。
【００１８】
請求項３の発明は、請求項１のウォータジャケットスペーサにおいて、独立気泡発泡樹脂製であることを特徴とする。
【００１９】
これによると、ウォータジャケットスペーサを独立気泡発泡樹脂製とすることで、独立気泡によりウォータジャケットスペーサの見かけ上の比重を冷却水の比重と略等しくなるように調整することができる。
【００２０】
請求項４に記載のシリンダブロックの発明は、上記請求項１〜３のいずれか１項に記載のウォータジャケットスペーサが、シリンダボア壁の外周に形成されるウォータジャケット内に装着されて該ウォータジャケットの内周面と外周面との間に挟持して固定されたことを特徴とする。
【００２１】
これによると、見かけ上の比重が冷却水の比重と略等しいウォータジャケットスペーサをシリンダボア壁の外周に形成されるウォータジャケット内に装着してウォータジャケットの内周面と外周面により比較的小さな加圧力で挟持することでウォータジャケットスペーサが安定した状態で保持でき、ウォータジャケットスペーサを挟持保持するウォータジャケットの外周面及び内周面の負荷が軽減されて、シリンダブロックへの負荷が抑制できる。
【００２２】
請求項５の発明は、請求項１〜３のいずれか１項に記載のウォータジャケットスペーサにおいて、上記ウォータジャケットの内周面或いは外周面に固定構造により固定保持されることを特徴とする。
【００２３】
これによると、見かけ上の比重が冷却水の比重と略等しいウォータジャケットスペーサをシリンダボア壁の外周に形成されるウォータジャケット内に装着して固定構造によりウォータジャケットの内周面或いは外周面に固定保持することで、固定構造の負荷及びウォータジャケットの外周面及び内周面の負荷が軽減されて、シリンダブロックへの負荷が抑制できる。
【発明の効果】
【００２４】
本発明によると、ウォータジャケット内に固定保持されるウォータジャケットスペーサの見かけ上の比重を冷却水の比重と略等しくする樹脂製ブロック状に形成することで、冷却水によるウォータジャケットスペーサの揺動や移動が抑制され、ウォータジャケットスペーサを安定した状態に固定保持するシリンダブロックへの負荷が抑制できる。
【図面の簡単な説明】
【００２５】
【図１】本発明の一実施の形態に係るシリンダブロックの説明図である。
【図２】図１におけるＩＩ−ＩＩ線断面図である。
【図３】本発明の第２実施の形態の概要説明図である
【図４】従来のウォータジャケットスペーサの説明図である。
【図５】従来のウォータジャケットスペーサの説明図である。
【発明を実施するための形態】
【００２６】
本発明によるウォータジャケットスペーサ及びウォータジャケットスペーサを備えたシリンダブロックの実施の形態を図を参照して説明する。
【００２７】
（第１実施の形態）
図１は、水平対向型エンジンにおけるシリンダブロックのシリンダ軸方向から投影した側面図、図２は模式的に示す図１のＩＩ−ＩＩ線断面図である。
【００２８】
シリンダブロック１は、アルミニウム合金製のオープンデッキ型であって、シリンダ列部を形成するシリンダブロック本体２と、シリンダブロック本体２の基端側に連続形成されるクランクケース部３から構成される。
【００２９】
シリンダブロック本体２は、図１及び図２に示すように、隔壁部分を隔ててシリンダライナ９が埋め込まれた一対のシリンダボア４が並列配置されたシリンダボア壁５を有する。シリンダボア壁５の外周はトップデッキ７に開口部１１を有するウォータジャケット１０を隔ててシリンダ外壁部６によって囲まれ、シリンダ外壁部６はウォータジャケット１０の底部を形成するクランクケース部３によってシリンダボア壁５に一体結合する。シリンダ外壁部６の所定位置にトップデッキ７側からクランクケース部３側に延在してシリンダヘッドを固定するための図示しないヘッドボルトが螺合するヘッドボルト孔８が形成される。
【００３０】
ウォータジャケット１０は、トップデッキ７に開口部１１を有する深い溝状でシリンダボア壁５を介して各シリンダボア４を囲む円弧状部が連結部によって連結するループ状で、下死点側となる先端側に形成される底面１２の内側縁１２ａからトップデッキ７に開口する開口部１１の内周縁１１ａに連続する内周面１３がシリンダボア壁５の外周面によって形成され、底面１２の外側縁１２ｂからトップデッキ７に開口する開口部１１の外側縁１１ｂに連続する外周面１４がシリンダ外壁部６の内周面によって形成される。また、図２に模式的に示すように、ウォータジャケット１０は、その断面形状において内周面１３及び外周面１４が、下死点側の底面１２から上死点側、即ちトップデッキ７側の開口部１１側に移行するに従って互いに離間するテーパ状に形成される。
【００３１】
一方、ウォータジャケット１０内の比較的低温部分となる下死点側に設置されてウォータジャケット１０内を流れる冷却水量を適正化するウォータジャケットスペーサ２０は、冷却水による劣化や腐食等の影響を受けにくく耐久性に優れ、かつ耐汚染性及び耐熱性を有する樹脂製であって、ウォータジャケット１０の底面１２、内周面１３、外周面１４にそれぞれ接面可能な底面２２、内側面２３、外側面２４及び上面２１からなる外周面を備えてウォータジャケット１０の底面１２に沿って延在する環状のブロック状に形成される。
【００３２】
また、ウォータジャケットスペーサ２０は、環状に連続する中空閉断面形状であって、中空部２５の大きさ及び形状を適宜設定することによってウォータジャケットスペーサ２０の見かけの上の比重が冷却水の比重（例えば、１．０〜１．１２程度）と略等しくなるように調整される。
【００３３】
この断面形状において底面２２側から上面２１側に移行するに従って互いに離間するテーパ状の内側面２３及び外側面２４を有するウォータジャケットスペーサ２０を、シリンダブロック１のトップデッキ７に開口する開口部１１からウォータジャケット１０内に挿入して、ウォータジャケット１０の低温部分となる下死点側、即ち先端側に圧入する。この圧入されたウォータジャケットスペーサ２０は、図２に示すようにその底面２２がウォータジャケット１０の底面１２に接し、かつ内側面２３及び外側面２４がそれぞれ内周面１３及び外周面１４に圧接してウォータジャケット１０の内周面１３と外周面１４によって挟持固定される。
【００３４】
このウォータジャケットスペーサ２０の設置により、ウォータジャケット１０の冷却水容量が、そのエンジンに最適な冷却水の量に調整されると共に、ウォータポンプが作動してもウォータジャケット１０内のウォータジャケットスペーサ２０を設置した部分には冷却水が流れないようになり、シリンダボア壁５の高温部となる上死点付近に積極的に冷却水を流して上死点側を冷却させることにより、シリンダ壁温を均一化する。
【００３５】
ここで、ウォータジャケットスペーサ２０の見かけ上の比重を冷却水の比重と略等しく設定することから、冷却水及びウォータジャケットスペーサ２０に働く重力によって生じる圧力の不均一が抑制される。即ち、ウォータジャケットスペーサ２０に働く浮力とウォータジャケットスペーサ２０に働く重力が均等になり、冷却水によるウォータジャケットスペーサ２０の揺動や移動が抑制され、ウォータジャケットスペーサ２０の固定保持に要するウォータジャケット１０の内周面１３と外周面１４によるウォータジャケットスペーサ２０の挟持力を低減することが可能になり、ウォータジャケット１０の内周面１３と外周面１４による比較的小さな挟持力でウォータジャケットスペーサ２０が安定した状態に保持できる。
【００３６】
仮に、ウォータジャケットスペーサ２０の見かけ上の比重が冷却水の比重より小さいと、ウォータジャケットスペーサ２０に働く浮力がウォータジャケットスペーサ２０に働く重力より大きくなり、ウォータジャケットスペーサ２０には挟持されたウォータジャケット１０の内周面１３と外周面１４から抜け出す方向の力が作用する。この抜け出す方向の力によりウォータジャケット１０の内周面１３と外周面１４によるウォータジャケットスペーサ２０の安定した保持が得られずウォータジャケットスペーサ２０が揺動或いは移動する要因となる。この結果ウォータジャケット１０の内周面１３及び外周面１４によるウォータジャケットスペーサ２０の挟持力の増大が必要になり、ウォータジャケットスペーサ２０を高い圧入力で圧入することで内周面１３及び外周面１４に大きな圧力が付与され、固定部であるシリンダボア壁５やシリンダ外壁部６に負荷がかかり、シリンダボア壁５やシリンダ外壁部６の変形に影響を及ぼし、かつシリンダボア壁５やシリンダ外壁部６の破損を招く要因となり、シリンダブロック１自体の変形を誘発することが懸念される。
【００３７】
一方、ウォータジャケットスペーサ２０の見かけ上の比重を冷却水の比重より大きくすると、ウォータジャケットスペーサ２０に働く浮力よりウォータジャケットスペーサ２０に働く重力が大きくなり、ウォータジャケットスペーサ２０には挟持されたウォータジャケット１０の内周面１３と外周面１４との間に入り込む方向の力が作用する。ウォータジャケット１０の内周面１３と外周面１４との間に入り込む方向の力によりウォータジャケットスペーサ２０が揺動或いは移動する要因となる。この結果ウォータジャケット１０の内周面１３及び外周面１４によるウォータジャケットスペーサ２０の挟持力の増大が必要になり、ウォータジャケットスペーサ２０を高い圧入力で圧入することで内周面１３及び外周面１４に大きな圧力が付与され、固定構造であるシリンダボア壁５やシリンダ外壁部６に負荷がかかり、シリンダボア壁５やシリンダ外壁部６の変形に影響を及ぼし、かつシリンダボア壁５やシリンダ外壁部６の破損を招く要因となり、シリンダブロック１自体の変形を誘発することが懸念される。
【００３８】
従って、本実施の形態によると、ウォータジャケット１０内に圧入装着されるウォータジャケットスペーサ２０の見かけ上の比重を、冷却水の比重と略等しくする簡単な構成で、ウォータジャケットスペーサ２０の揺動や移動が抑制され、ウォータジャケット１０の内周面１３と外周面１４とで比較的小さな加圧力で挟持することでウォータジャケットスペーサ２０が安定した状態で保持でき、固定構造であるシリンダボア壁５やシリンダ外壁部６に作用する負荷、即ちシリンダブロック１に及ぼす負荷が抑制できる。シリンダボア壁５やシリンダ外壁部６の変形が影響されることなく、かつシリンダボア壁５やシリンダ外壁部６の破損及びシリンダブロック１自体の変形が回避される。また、ウォータジャケット１０内の比較的低温部分となる下死点側に設置されてウォータジャケット１０内を流れる冷却水量を適正化するウォータジャケットスペーサ２０が冷却水による劣化や腐食等の影響を受けにくく耐久性に優れ、かつ耐汚染性及び耐熱性を有する樹脂製ブロック状であることと相俟って、ウォータジャケットスペーサ２０の固定構造を強固にすることなく、所期の安定した状態にウォータジャケットスペーサ２０を保持することができる。
【００３９】
（第２実施の形態）
図３を参照して本発明の第２実施の形態を説明する。なお、本実施の形態において、ウォータジャケットスペーサの構成が、第１実施の形態と異なり、他の構成は第１実施の形態と同様の構成であり、図３は第１実施の形態の図２と対応する断面図であり、図３における図２と対応する部分に同一符号を付することで該部の詳細な説明を省略する。
【００４０】
図３に示すウォータジャケットスペーサ３０は、冷却水による劣化や腐食等の影響を受けにくく耐久性に優れ、かつ耐汚染性及び耐熱性を有する独立気泡構造の樹脂製ブロック状であって、ウォータジャケット１０の底面１２、内周面１３、外周面１４にそれぞれ接面可能な底面３２、内側面３３、外側面３４及び上面３１からなる外周面を備えてウォータジャケット１０の底面１２が延在方向に沿って延在する環状に形成される。
【００４１】
また、この独立気泡構造の発砲体からなるウォータジャケットスペーサ３０は、例えば、成形の際の発泡倍率等を適宜設定することで、ウォータジャケットスペーサ３０の見かけの上の比重が冷却水の比重（例えば、１．０〜１．１２程度）と略等しくなるように独立気泡によって調整される。
【００４２】
この独立気泡構造の発砲体からなる環状で、底面３２側から上面３１側に移行するに従って互いに離間するテーパ状の内側面３３及び外側面３４を有するウォータジャケットスペーサ３０を、シリンダブロック１のウォータジャケット１０内に開口部１１から挿入してウォータジャケット１０の低温部部分となる下死点側に圧入する。圧入されたウォータジャケットスペーサ３０は、図３に示すようにその底面３２がウォータジャケット１０の底面１２に接し、かつ内側面３３及び外側面３４がそれぞれ内周面１３及び外周面１４に圧接してウォータジャケット１０内周面１３と外周面１４との間に挟持固定される。
【００４３】
このウォータジャケットスペーサ３０の設置により、ウォータジャケット１０の冷却水容量が、そのエンジンに最適な冷却水の量に調整されると共に、ウォータポンプが作動してもウォータジャケット１０内のウォータジャケットスペーサ３０を設置した部分には冷却水が流れないようになり、シリンダボア壁５の高温部となる上死点付近だけ冷却水を流して上死点側を積極的に冷却させることにより、シリンダ壁温を均一化する。
【００４４】
ここで、ウォータジャケットスペーサ３０の見かけ上の比重を冷却水の比重と略等しく設定することから、第１実施の形態と同様に、冷却水及びウォータジャケットスペーサ３０に働く重力によって生じる圧力の不均一が抑制される。即ち、ウォータジャケットスペーサ３０に働く浮力とウォータジャケットスペーサ３０に働く重力が均等になり、冷却水によるウォータジャケットスペーサ３０の揺動や移動が抑制され、ウォータジャケットスペーサ３０の固定保持に要するウォータジャケット１０の内周面１３と外周面１４によるウォータジャケットスペーサ３０の挟持力を低減することが可能になり、ウォータジャケット１０の内周面１３と外周面１４による比較的小さな挟持力でウォータジャケットスペーサ３０が安定した状態で保持できる。
【００４５】
従って、本実施の形態によると、ウォータジャケット１０内に圧入装着されるウォータジャケットスペーサ３０の見かけ上の比重を、冷却水の比重と略等しくする簡単な構成でウォータジャケットスペーサ３０の揺動や移動が抑制され、ウォータジャケット１０の内周面１３と外周面１４とで比較的小さな加圧力で挟持することでウォータジャケットスペーサ３０が安定した状態で保持でき、シリンダボア壁５やシリンダ外壁部６に作用する負荷が軽減されて、シリンダブロック１の負荷が抑制される。一方、ウォータジャケット１０内の比較的低温部分となる下死点側に設置されてウォータジャケット１０内を流れる冷却水量を適正化するウォータジャケットスペーサ３０が冷却水による劣化や腐食等の影響を受けにくく耐久性に優れ、かつ耐汚染性及び耐熱性を有する樹脂製であることと相俟って、ウォータジャケットスペーサ３０の固定構造を強固にすることなく、所期の安定した状態にウォータジャケットスペーサ３０を保持することができる。
【００４６】
なお、本発明は、上記第１実施の形態及び第２実施の形態に限定されることなく、本発明の趣旨を逸脱しない範囲で種々変更することができる。例えば、上記第１実施の形態及び第２の形態では、ウォータジャケットスペーサ２０及び３０をウォータジャケット１０の内周面１３及び外周面１４によって挟持固定する例について説明したが、ウォータジャケットスペーサ２０及び３０をシリンダブロック１の側面からピンを差してピンによってウォータジャケットスペーサ２０、３０をウォータジャケット１０内の所定位置に固定保持する構造や、シリンダブロック１に係止穴を形成し、ウォータジャケットスペーサ２０、３０を係止穴に係止してウォータジャケット１０の先端側内の所定位置に固定保持する構造等によりウォータジャケットスペーサ２０、３０をウォータジャケット１０の所定位置に固定保持することができる。これらの固定構造においてもウォータジャケットスペーサ２０、３０の見かけ上の比重を冷却水と略等しくすることで、ウォータジャケットスペーサ２０、３０の揺動や移動が抑制されて、ウォータジャケットスペーサ２０、３０を固定保持する固定構造及びシリンダボア壁５やシリンダ外壁部６への負荷が軽減され、即ちシリンダブロック１に及ぼす負荷が抑制できる。
【００４７】
また、ウォータジャケットスペーサ２０、３０はウォータジャケット１０の全周に亘り設置することなく、ウォータジャケットスペーサ２０、３０を部分的に所定位置に配設することもできる。
【符号の説明】
【００４８】
１          シリンダブロック
４          シリンダボア
５          シリンダボア壁
６          シリンダ外壁部
１０        ウォータジャケット
１３        内周面
１４        外周面
２０        ウォータジャケットスペーサ
２３        内側面
２４        外側面
２５        中空部
３０        ウォータジャケットスペーサ
３３        内側面
３４        外側面
【図１】
2012012969.tif 000003
【図２】
2012012969.tif 000004
【図３】
2012012969.tif 000005
【図４】
2012012969.tif 000006
【図５】
2012012969.tif 000007